(57)【特許請求の範囲】
【請求項１】
箱型の本体部と、
前記本体部の正面に装着される口枠部とを具備し、
前記本体部は、正面に投函口を備え、
前記口枠部は、上枠と一対の側枠と下枠とを含んだ筒状の外形を有し、
前記口枠部は、前記投函口に連通する開口と、前記開口と前記上枠の間に形成した照明スペースと、前記照明スペースに収容される照明ユニットとを備え、
前記照明ユニットは、光源と、前記光源が発する光を外部に向けて出射させる出射面とを備え、前記出射面を下方に向けて位置させた足元灯であり、
前記出射面から出射させる光の出射範囲は、前記下枠とその前側の領域を含むように構成され、
前記口枠部は、前記開口及び前記照明スペースとは異なる箇所に位置する表札面を、更に備え、
前記出射面は、前記表札面の上方に位置し、
前記出射面から出射させる光の照射範囲は、前記表札面を含むように構成されていることを特徴とする郵便受け。
【請求項２】
前記口枠部の下部は、前記出射面の下方に位置する光透過性の部材であり、
前記部材を通じて、前記出射面から出射される光を前記口枠部の下方にまで照射可能に設けたことを特徴とする請求項１に記載の郵便受け。
【請求項３】
前記口枠部の下部は、前記出射面の下方に位置する切欠きを有し、
前記切欠きを通じて、前記出射面から出射される光を前記口枠部の下方にまで照射可能に設けたことを特徴とする請求項１に記載の郵便受け。
【請求項４】
前記照明ユニットは、発光ダイオードである前記光源と、前記光源が発する光を入射させる導光体を更に備え、
前記導光体が前記出射面を有することを特徴とする請求項１〜３のいずれか一項に記載の郵便受け。
【発明の詳細な説明】
【技術分野】
【０００１】
本発明は、郵便受けに関し、詳しくは、箱型の本体部に口枠部を装着した郵便受けに関する。
【背景技術】
【０００２】
特許文献１には、門柱に埋設して取り付ける郵便受箱が記載されている。この郵便受箱は、角箱状の郵便受箱本体と、郵便受箱本体の正面に装着される口金とを備える。口金には、投入口を設けている。
【先行技術文献】
【特許文献】
【０００３】
【特許文献１】実公平４−５１６４２号公報
【発明の概要】
【発明が解決しようとする課題】
【０００４】
前記した従来の郵便受箱では、門柱から正面に露出する口金に、投入口だけが位置している。そのため、夜間等に周囲を照らすには、門柱等に照明設備を別途備える必要があり、設備のコンパクト化が困難であるという問題があった。
【０００５】
本発明は前記問題を解決する発明であり、照明設備を別途備えずとも周囲を効率的に照らすことのできるコンパクトな郵便受けを提供することを、課題とする。
【課題を解決するための手段】
【０００６】
前記課題を解決するために本発明の一態様に係る郵便受けは、箱型の本体部と、前記本体部の正面に装着される口枠部とを具備する。
【０００７】
前記本体部は、正面に投函口を備える。
【０００８】
前記口枠部は、上枠と一対の側枠と下枠とを含んだ筒状の外形を有する。前記口枠部は、前記投函口に連通する開口と、前記開口と前記上枠の間に形成した照明スペースと、前記照明スペースに収容される照明ユニットとを備える。
【０００９】
前記照明ユニットは、光源と、前記光源が発する光を外部に向けて出射させる出射面とを備え、前記出射面を下方に向けて位置させた足元灯であり、前記出射面から出射させる光の出射範囲は、前記下枠とその前側の領域を含むように構成され、前記口枠部は、前記開口及び前記照明スペースとは異なる箇所に位置する表札面を、更に備え、前記出射面は、前記表札面の上方に位置し、前記出射面から出射させる光の照射範囲は、前記表札面を含むように構成されている。
【発明の効果】
【００１０】
本発明は、照明設備を別途備えずとも周囲を効率的に照らすことのできるコンパクトな郵便受けを提供することができるという効果を奏する。
【図面の簡単な説明】
【００１１】
【図１】第１実施形態の郵便受けを設置した状態の正面図である。
【図２】第１実施形態の郵便受けの斜視図である。
【図３】第１実施形態の郵便受けの要部の鉛直断面図である。
【図４】第１実施形態の郵便受けが備える口枠部の斜視図である。
【図５】第１実施形態の郵便受けが備える照明ユニットの分解斜視図である。
【図６】第２実施形態の郵便受けの要部の鉛直断面図である。
【図７】第３実施形態の郵便受けの要部の鉛直断面図である。
【図８】第４実施形態の郵便受けを設置した状態の正面図である。
【発明を実施するための形態】
【００１２】
（第１実施形態）
第１実施形態の郵便受けは、図１に示すように、建物の外構９を形成する門柱９０に埋め込むことで、外構９に設置する。
【００１３】
図２に示すように、本実施形態の郵便受けは、箱型の形状を有する本体部１と、本体部１の正面１ａに固定される口枠部２とを備える。
【００１４】
本文中では、本体部１の正面１ａが向く方向を前方とし、これの逆方向を後方とする。口枠部２は、本体部１から前方に突出する。左右方向は、前後方向及び上下方向と直交する方向である。
【００１５】
箱型の本体部１は、前端に位置する前板１０、上端に位置する天板１１、左右方向の両端に位置する一対の側板１２，１２、下端に位置する底板１３、及び後端に位置する背板１４を有する。本体部１の正面１ａは、前板１０の正面である。
【００１６】
前板１０には、前後方向に貫通する投函口１００を設けている。投函口１００は、左右方向に細長い形状を有する。前板１０には、投函口１００を開閉自在に塞ぐフラップ１０１を設けている（図３参照）。
【００１７】
背板１４には、図示略の開閉扉を設けている。該開閉扉を開くことで、投函口１００を通じて本体部１に投函された郵便物を取り出すことができる。
【００１８】
口枠部２は、本体部１が有する前板１０の上部に、図示略のネジ等を用いて固定される。
【００１９】
口枠部２は、図２等に示すように、上端に位置する上枠２０、左右方向の両端に位置する一対の側枠２１，２１及び下端に位置する下枠２２を有する。これら各枠２０，２１，２１，２２が一連につながることで、口枠部２は、前後方向に開口する角筒状の外形を有する。
【００２０】
本体部１に口枠部２を固定した状態において、口枠部２の上枠２０の上面は、本体部１の天板１１の上面と面一であり、口枠部２の各側枠２１の外側面は、本体部１の側板１２の外側面と面一である。
【００２１】
本体部１に固定された口枠部２は、正面視において、投函口１００の全体を囲んで位置する開口２３を有する。開口２３は、左右方向に長い矩形状の開口であり、投函口１００と前後方向に連通する。
【００２２】
更に、口枠部２には、照明ユニット４を設置するための照明スペースＳ１を、開口２３よりも上方に形成している。照明スペースＳ１に設置する照明ユニット４は、下方に向けて光を出射する足元灯である。
【００２３】
図２〜図４等に示すように、照明スペースＳ１は、口枠部２が有する長板状の上枠２０と、上枠２０の下面の一部から下方に突出した前板２４と、前板２４の下端部から後方に突出した一対の載置片２５，２５とで仕切られた空間である。一対の載置片２５，２５は、前板２４の左右方向の両端部からそれぞれ後方に突出する。
【００２４】
照明スペースＳ１は、後方に向けて開口し、且つ、一対の載置片２５，２５間において下方に開口する。一対の載置片２５，２５と上枠２０との間には、前板２４の背面から後方に突出したボス２６，２６が、それぞれ位置する。
【００２５】
図５に示すように、照明ユニット４は、発光ダイオードである一対の光源４０，４０と、光源４０，４０が発する光を入射させた後に外部に向けて出射する棒状の導光体４１と、導光体４１を覆うケース４２とを備える。ケース４２は、アルミニウム等の熱伝導率の高い材料で形成する。
【００２６】
導光体４１は、左右方向に長い透光性の棒状部材であり、例えばアクリルによって形成する。導光体４１の左右方向の両端面が入射面４１０，４１０である。両端の入射面４１０，４１０には、光源４０，４０からの光が一対一で入射する。
【００２７】
導光体４１の上方を向く面が拡散面４１１であり、導光体４１の下方を向く面が出射面４１２である（図３参照）。ケース４２には、下面の一部を切り欠いた形状の照明窓４２０を設けている。照明窓４２０は、左右方向に細長い開口であり、導光体４１が有する出射面４１２の下方に位置する。導光体４１と照明窓４２０との間には、透光板４３を介在させている。
【００２８】
照明ユニット４は、光源４０，４０を実装する基板４４，４４と、基板４４，４４に当接する伝熱シート４５，４５と、これらを水密に保持する保持構造４６，４６とを有する。
【００２９】
各保持構造４６は、内側カバー４６０と、内側カバー４６０よりも左右方向の外側（以下、単に「外側」という。）に位置する外側カバー４６１を備える。内側カバー４６０と外側カバー４６１を組み合わせることで、内部空間を有するカバー構造を形成し、該内部空間に、光源４０が実装された基板４４と伝熱シート４５を収容する。
【００３０】
各保持構造４６は、フィンを有する放熱部材４６２と、ストッパー４６４を更に備える。
【００３１】
放熱部材４６２は、外側カバー４６１の外側に当接して位置する。放熱部材４６２と外側カバーは、ネジを用いて固定するが、両面テープ等の他の手段で固定してもよい。ストッパー４６４は、放熱部材４６２の後方に位置し、照明ユニット４の抜け止めを図る。
【００３２】
ケース４２内には、導光体４１の外側に、内側カバー４６０と外側カバー４６１を組み合わせたカバー構造を収容する。前記カバー構造を収容したケース４２は、その両端部を載置片２５，２５上に乗せた状態で、照明スペースＳ１に設置する。各載置片２５上には、更に放熱部材４６２を位置させる。
【００３３】
各ストッパー４６４は、ボス２６に嵌合した状態で、載置片２５上に位置するケース４２の端部と放熱部材４６２を、口枠部２の前板２４との間で前後方向に挟み込み、それぞれを所定位置に固定する（図４参照）。各ストッパー４６４は、配線カバーを兼ねる。
【００３４】
本実施形態の照明ユニット４においては、前記したように、光源４０を実装した基板４４を、内側カバー４６０と外側カバー４６１を組み合わせたカバー構造の内部空間に収容することで、第１段階の防水を図っている。更に、このカバー構造ごとケース４２に収容することで、第２段階の防水を図っている。更に、ケース４２を、前方及び上方を外部空間から仕切った照明スペースＳ１に配置することで、第３段階の防水を図っている。
【００３５】
更に、ケース４２の外側を放熱部材４６２で塞ぎ、ケース４２の端部の後方をストッパー４６４で塞ぐことによって、第４段階の防水を図っている。
【００３６】
本実施形態の照明ユニット４においては、前記した第１乃至第４段階の防水によって、高水準での防水性能を確保することが可能となっている。
【００３７】
本実施形態の郵便受けにおいては、口枠部２に、更に表札面５を設けている。表札面５は、氏名等を表示する部分である。氏名等は、表札面５に直接的に表示してもよいし、氏名等が記載されたプレートを表札面５に固定してもよい。
【００３８】
表札面５は、口枠部２の下側領域に位置する横長部材５０の前面である。前記下側領域は、口枠部２を本体部１に装着した状態において、本体部１の投函口１００よりも下方に位置する領域である。
【００３９】
つまり、正面視において、投函口１００よりも上方に照明ユニット４の出射面４１２及び照明窓４２０が位置し、投函口１００よりも下方に表札面５が位置する。出射面４１２及び照明窓４２０は、表札面５の前斜め上方に位置する。
【００４０】
表札面５は、左右方向に長い平面視矩形状の外形を有する。表札面５は、口枠部２の前後方向の中央部において、口枠部２の左右方向の全長に亘って位置する。
【００４１】
口枠部２の下枠２２と横長部材５０の間には、水抜き用の隙間２７が、口枠部２の左右方向の全長に亘って位置する（図３参照）。下枠２２の上面は、前斜め下方に傾斜している。横長部材５０を越えて雨水が浸入した場合に、該雨水は下枠２２の上面を伝って隙間２７を通り、口枠部２の外に排出される。
【００４２】
図１〜図５に示す本実施形態の郵便受けは、前記した各構成を具備するものであるから、口枠部２内の上部領域にコンパクトに装着した照明ユニット４を用い、出射面４１２及び照明窓４２０から照射されるライン状の光で、足元を明るく照らすことができる。
【００４３】
即ち、照明ユニット４の光源４０，４０が発光すると、その光は導光体４１の入射面４１０，４１０から入射し、導光体４１内を進行しながら拡散面４１１で乱反射し、出射面４１２を通じて下方に出射する。出射面４１２から出射した光は、透光板４３及び照明窓４２０を通じて、口枠部２の下方空間を照らす。
【００４４】
特に、図１に示すように本実施形態の郵便受けは、門柱９０に本体部１を埋め込むことで設置されており、口枠部２だけが門柱９０の前面から突出して位置する。そのため、口枠部２内にコンパクトに装着した照明ユニット４で、門柱９０の前方に位置する足元空間を、明るく照らすことが可能である。
【００４５】
しかも、口枠部２内においては、照明ユニット４が有する出射面４１２及び照明窓４２０の後斜め下方に表札面５が位置し、表札面５は光の照射範囲に含まれている。そのため、足元を照らす光の一部を利用して表札面５を照らすことが可能である。
【００４６】
なお、横長部材５０の前面の全てを表札面５とするのでなく、横長部材５０の前面の一部を、インターホン子機等の他の機器の設置面として利用することも可能である。
【００４７】
また、本実施形態では導光体４１の左右方向の両端に光源４０，４０を配しているが、導光体４１の左右方向の一端にだけ光源４０を配することも可能である。光源４０を一端にだけ配する構造であっても、導光体４１を通じて、出射面４１１全体から下方に向けて光を照射することができる。
【００４８】
（第２実施形態）
図６には、第２実施形態の郵便受けの要部を示している。本実施形態の郵便受けの構成は、大部分において第１実施形態の郵便受けの構成と共通であるから、以下においては、第１実施形態と共通の構成については同一符号を付して説明を省略し、第１実施形態とは相違する構成について、異符号を付して説明する。
【００４９】
本実施形態の郵便受けが備える口枠部２は、下端の枠材である下枠２２の全部又は一部を、光を透過可能な平板状の部材２８で形成している。この部材２８は光透過性を有する部材であればよく、例えば透明又は半透明の樹脂で形成することができる。
【００５０】
光透過性の部材２８は、照明ユニット４が有する出射面４１２及び照明窓４２０の下方に位置し、また、表札面５より下方に位置する。
【００５１】
本実施形態の郵便受けにおいては、口枠部２の一部を構成する光透過性の部材２８を通じて、照明ユニット４から下方に出射される光を、口枠部２の下方にまで照射することができる。
【００５２】
そのため、第１実施形態の図１で示したように、本実施形態の郵便受けを門柱９０に埋め込んで設置した場合には、門柱９０から突出して位置する口枠部２の照明ユニット４で、足元の広い範囲を明るく照らすことが可能となる。
【００５３】
（第３実施形態）
図７には、第３実施形態の郵便受けの要部を示している。本実施形態の郵便受けの構成は、大部分において第１実施形態の郵便受けの構成と共通であるから、以下においては、第１実施形態と共通の構成については同一符号を付して説明を省略し、第１実施形態とは相違する構成について、異符号を付して説明する。
【００５４】
本実施形態の郵便受けが備える口枠部２は、下端に位置する下枠２２の一部に、光を通過させるための切欠き２９を設けている。下枠２２の前後方向の寸法は、切欠き２９を設けた分だけ上枠２０よりも短くなっている。
【００５５】
切欠き２９は、照明ユニット４が有する出射面４１２及び照明窓４２０の下方に位置し、また、表札面５より下方に位置する。
【００５６】
本実施形態の郵便受けにおいては、口枠部２の下端部を後方に向けて切り欠いた構造の切欠き２９を通じて、照明ユニット４から下方に出射される光を、口枠部２の下方にまで照射することができる。
【００５７】
そのため、第１実施形態の図１で示したように、本実施形態の郵便受けを門柱９０に埋め込んで設置した場合には、門柱９０から突出して位置する口枠部２の照明ユニット４で、足元の広い範囲を明るく照らすことが可能となる。
【００５８】
（第４実施形態）
図８には、第４実施形態の郵便受けを示している。本実施形態の郵便受けの構成のうち、第１実施形態と共通の構成については同一符号を付して説明を省略し、第１実施形態とは相違する構成について、異符号を付して説明する。
【００５９】
本実施形態の郵便受けの構成は、本体部１がポール６上に設置されている点で、第１実施形態の郵便受けと相違する。ポール６は上下方向に長く、ポール６の下端は地面７に埋め込んでいる。
【００６０】
本実施形態の郵便受けにおいても、口枠部２内にコンパクトに装着した照明ユニット４で、足元空間を明るく照らすことができる。第２又は第３実施形態の郵便受けにおいて本体部１をポール６上に設置することも可能である。
【００６１】
以上、説明したように、第１乃至第４実施形態の郵便受けは、箱型の本体部１と、本体部１の正面１ａに装着される口枠部２とを具備する。
【００６２】
本体部１は、正面１ａに投函口１００を備える。
【００６３】
口枠部２は、投函口１００に連通する開口２３と、開口２３とは異なる箇所に形成した照明スペースＳ１と、照明スペースＳ１に収容される照明ユニット４とを備える。
【００６４】
照明ユニット４は、光源４０と、光源４０が発する光を外部に向けて出射させる出射面４１２とを備え、出射面４１２を下方に向けて位置させた足元灯である。
【００６５】
したがって、第１乃至第４実施形態の郵便受けによれば、口枠部２内の照明ユニット４から下方に出射する光によって、郵便受けが設置される場所の足元空間を、明るく照らすことができる。そのため、照明装置を別途備える必要がなく、外構９の設備をコンパクトにまとめることができ、外観上の統一性も向上する。加えて、照明ユニット４は下方に光を照射するので、向かいの住人等が眩しさを感じることも抑えられる。
【００６６】
また、第１乃至第４実施形態の郵便受けにおいて、口枠部２は、開口２３及び照明スペースＳ１とは異なる箇所に位置する表札面５を、更に備える。
【００６７】
出射面４１２は、表札面５の上方に位置する。出射面４１２から出射させる光の照射範囲は、表札面５を含むように構成されている。
【００６８】
これにより、口枠部２内の照明ユニット４によって足元空間を照らすだけでなく、下方に出射する光を利用して表札面５を照らすことができる。この場合においても、表札面５から正面に発する光は反射光に過ぎず、向かいの住人等が眩しさを感じることは抑えられる。
【００６９】
また、第２実施形態の郵便受けにおいて、口枠部２の下部は、出射面４１２の下方に位置する光透過性の部材２８である。この部材２８を通じて、出射面４１２から出射される光を口枠部２の下方にまで照射可能に設けている。
【００７０】
これにより、口枠部２内にコンパクトに収容した照明ユニット４で、足元の広い範囲を明るく照らすことが可能となっている。
【００７１】
また、第３実施形態の郵便受けにおいて、口枠部２の下部は、出射面４１２の下方に位置する切欠き２９を有する。この切欠き２９を通じて、出射面４１２から出射される光を口枠部２の下方にまで照射可能に設けている。
【００７２】
これにより、口枠部２内にコンパクトに収容した照明ユニット４で、足元の広い範囲を明るく照らすことが可能となっている。
【００７３】
また、第１乃至第４実施形態の郵便受けにおいて、照明ユニット４は、発光ダイオードである光源４０，４０と、光源４０，４０が発する光を入射させる導光体４１を更に備え、導光体４１が出射面４１２を有する。
【００７４】
これにより、発光ダイオードである光源４０を多数配置せずとも、導光体４１を通じて足元空間の広い範囲を効率的に且つ均一的に照らすことができる。
【００７５】
以上、本発明の実施形態について説明したが、本発明は前記した各実施形態に限定されない。本発明の意図する範囲内であれば、各実施形態において適宜の設計変更を行うことや、各実施形態の構成を適宜組み合わせて適用することが可能である。
【符号の説明】
【００７６】
１      本体部
１ａ    正面
２      口枠部
４      照明ユニット
５      表札面
２３    開口
２８    部材
２９    切欠き
４０    光源
４１    導光体
１００  投函口
４１１  出射面
Ｓ１    照明スペース
【図１】
0006443796.tif 000002
【図２】
0006443796.tif 000003
【図３】
0006443796.tif 000004
【図４】
0006443796.tif 000005
【図５】
0006443796.tif 000006
【図６】
0006443796.tif 000007
【図７】
0006443796.tif 000008
【図８】
0006443796.tif 000009